(57)【要約】【課題】ディジタルスチルカメラ等の電子カメラのカメラ本体に設けたカード収容空所内にメモリーカードを装着した状態においてメモリーカードの存否と容量を目視確認することができる一方で、カード未装着時には電源未投入の状態で、未装着である旨の警告を表示して目視確認できる。【解決手段】カメラ本体２と、カメラ本体に設けた装着部１０に対して着脱自在に装着されるメモリーカード２０と、を備えた電子カメラ１において、装着部は、カメラ本体内に形成されたメモリーカード装着用の空所６と、カメラ本体の外壁１１に開口形成されて該空所内を露出させてメモリーカード装着の有無を視認可能とする確認窓１１ａと、を備え、メモリーカードの外面にはカード容量表示部２１が設けられ、装着部にメモリーカードを装着完了した時に確認窓からカード容量表示部が視認可能となるように構成されている。【選択図】　　　図１
2004112349.tif 000002
【特許請求の範囲】
【請求項１】
カメラ本体と、該カメラ本体に設けた装着部に対して着脱自在に装着されるメモリーカードと、を備えた電子カメラにおいて、
前記装着部は、カメラ本体内に形成されたメモリーカード装着用の空所と、該カメラ本体の外壁に開口形成されて該空所内を露出させてメモリーカード装着の有無を視認可能とする確認窓と、を備え、
前記メモリーカードの外面にはカード容量表示部が設けられ、前記装着部にメモリーカードを装着完了した時に前記確認窓から該カード容量表示部が視認可能となるように構成されていることを特徴とする電子カメラ。
【請求項２】
前記装着部内にメモリーカードが装着されていない場合に前記確認窓から視認可能な空所の内壁に、カード未装着である旨の警告表示部を設けたことを特徴とする請求項１に記載の電子カメラ。
【請求項３】
カメラ本体と、該カメラ本体に設けた装着部に対して着脱自在に装着されるメモリーカードと、を備えた電子カメラにおいて、
前記装着部は、カメラ本体内に形成されたメモリーカード装着用の空所と、該カメラ本体外壁に開口形成されて該空所内を露出させてメモリーカード装着の有無を視認可能とする確認窓と、装着部内に対するメモリーカードの装着動作に連動して該装着方向へ退避すると共に未装着時には原位置に復帰するスライダーと、を備え、
前記メモリーカードの外面にはカード容量表示部が設けられ、前記装着部にメモリーカードを装着完了してスライダーが退避した時に前記確認窓から該カード容量表示部が視認可能となり、
前記装着部内にメモリーカードが未装着であるために前記スライダーが原位置にある時に、前記確認窓から視認可能なスライダーの外面に、カード未装着である旨の警告表示部を設けたことを特徴とする電子カメラ。
【請求項４】
前記装着部に前記メモリーカードが装着されたことを検知する検出スイッチを備え、該検出スイッチがメモリーカードの未装着を検知している時はカメラ本体の電源投入を禁止し、メモリーカードの未装着時には前記確認窓からカード未装着である旨の警告表示部を視認可能としたことを特徴とする請求項１、２又は３に記載の電子カメラ。
【発明の詳細な説明】
【０００１】
【発明の属する技術分野】
本発明は電子カメラに着脱されて撮像データ記録のために使用されるメモリーカードがカメラ本体に装着されているか否かを、容易且つ確実にオペレータが確認できるようにした電子カメラに関する。
【０００２】
【従来の技術】
電子カメラ（ディジタルスチルカメラ）には、被写体からの光画像を撮像素子を用いて撮像信号に変換してディジタル撮像データとして記録するためのメモリーカードが装備されている。再生操作を行った場合には、メモリーカードに記憶された圧縮データを読み出してＬＣＤ等に表示する。
メモリーカードは、カメラ本体外面に設けたメモリーカードスロットからカード収容空所内に着脱され、メモリーカードが空所内に装着されているか否かについては、空所内部を部分的に露出させる確認窓を利用して目視確認が可能である。
しかし、空所内に現在装着されているメモリーカードの容量を確認したい場合には、メモリーカードを取り出してカード外面の表示を確認するか、或いはカメラ本体の電源を投入して所定の操作を行うことにより表示される撮影可能枚数を手がかりにして容量を判断するしかなかった。
また、従来の電子カメラにあっては、メモリーカードが未装着であっても電源投入は可能であるため、電源投入時にメモリーカードが装着されていない場合に、システムが起動してからメモリーカード未装着の警告が出されたり、いざ撮影しようという段階で警告が出されることにより、初めてカード未装着に気づくこととなり、これが撮影者に手間をとらせる原因となっている。
この点を改良するために、メモリーカードが未装着の場合には電源が投入できないように構成することも可能であるが、その場合にもカードが未装着である旨の警告を出す必要はあるので、そのためにシステムの一部は起動しておく必要があった。
【０００３】
【発明が解決しようとする課題】
本発明は上記に鑑みてなされたものであり、カメラ本体に設けたカード収容空所内にメモリーカードを装着した状態においてメモリーカードの容量を目視確認することができる一方で、カード未装着時には電源未投入の状態で、未装着である旨の警告を表示して目視確認できるようにした電子カメラを提供することを課題とする。
また、カード未装着の場合に電源投入を禁止し、電源が完全な未投入の状態でカード未装着を目視確認できるようにすることを他の課題とする。
【０００４】
【課題を解決するための手段】
上記課題を解決するため、請求項１の発明は、カメラ本体と、該カメラ本体に設けた装着部に対して着脱自在に装着されるメモリーカードと、を備えた電子カメラにおいて、前記装着部は、カメラ本体内に形成されたメモリーカード装着用の空所と、該カメラ本体の外壁に開口形成されて該空所内を露出させてメモリーカード装着の有無を視認可能とする確認窓と、を備え、前記メモリーカードの外面にはカード容量表示部が設けられ、前記装着部にメモリーカードを装着完了した時に前記確認窓から該カード容量表示部が視認可能となるように構成されていることを特徴とする。
メモリーカードがカメラ本体の装着部に装着されている場合に、カードの存否を目視確認できたとしても、メモリーカードの容量を同時に目視確認することはできなかった。本発明では、メモリーカード装着の有無を確認するための確認窓を通して、メモリーカードに記載された容量表示部を視認可能とすることができる。
請求項２の発明は、請求項１において、前記装着部内にメモリーカードが装着されていない場合に前記確認窓から視認可能な空所の内壁に、カード未装着である旨の警告表示部を設けたことを特徴とする。
本発明では、メモリーカード装着の有無を確認するための確認窓を通して、メモリーカードに記載された容量表示部を視認可能とするとともに、カード未装着時にはその旨の警告表示部までも目視確認できるようにしたので、より確実に装着状態、未装着状態にあることを確認できる。
【０００５】
請求項３の発明は、カメラ本体と、該カメラ本体に設けた装着部に対して着脱自在に装着されるメモリーカードと、を備えた電子カメラにおいて、前記装着部は、カメラ本体内に形成されたメモリーカード装着用の空所と、該カメラ本体外壁に開口形成されて該空所内を露出させてメモリーカード装着の有無を視認可能とする確認窓と、装着部内に対するメモリーカードの装着動作に連動して該装着方向へ退避すると共に未装着時には原位置に復帰するスライダーと、を備え、前記メモリーカードの外面にはカード容量表示部が設けられ、前記装着部にメモリーカードを装着完了してスライダーが退避した時に前記確認窓から該カード容量表示部が視認可能となり、前記装着部内にメモリーカードが未装着であるために前記スライダーが原位置にある時に、前記確認窓から視認可能なスライダーの外面に、カード未装着である旨の警告表示部を設けたことを特徴とする。
メモリーカードを装着部内に着脱する際に連動するスライダーを設け、外壁に設けた一つの確認窓からは、スライダー上の警告表示と、カード上の容量表示が選択的に確認できるように構成した。一方、カード装着時にスライダーの一部が検出スイッチを作動させた時のみカメラ本体の電源が投入可能な状態となるように構成したので、カード未装着に気づかずに電源を投入しようとしても投入されることはない。
請求項４の発明は、請求項１、２又は３において、前記装着部に前記メモリーカードが装着されたことを検知する検出スイッチを備え、該検出スイッチがメモリーカードの未装着を検知している時はカメラ本体の電源投入を禁止し、メモリーカードの未装着時には前記確認窓からカード未装着である旨の警告表示部を視認可能としたことを特徴とする。
これによれば、メモリーカードの装着を検知する検出スイッチによってカードの装着を検知し、カード未装着時には電源投入ができないようにしたので、メモリーカードを使用した電子カメラにおいて、メモリーカード未装着時には電源投入不可となり、記録も再生も実施できない。一方、撮影者には確認窓越しにカード未装着の警告を表示するようになっている。
【０００６】
【発明の実施の形態】
以下、本発明を図面に示した実施の形態により詳細に説明する。
図１（ａ）及び（ｂ）は本発明の一実施形態に係る電子カメラの外観構成を示す斜視図である。
この電子カメラ（ディジタルスチルカメラ）１は、撮像素子等を含む撮像部を備えたカメラ本体２と、カメラ本体２に設けた装着部１０に対して着脱自在に装着され且つ撮像部による撮像データを記録するメモリーカード２０と、を備えている。
電子カメラ１は、周知のように被写体からの光画像を撮像素子を用いて撮像信号に変換し、これをディジタル撮像データとしてメモリーカード２０に記録するための構成を備えている。再生モードにおいては、メモリカードに記憶された圧縮データを読み出してＬＣＤ表示部３ａに表示する。符号３ｂは対物レンズであり、３ｃはシャッタである。
カメラ本体２は、外装部を構成する筐体４の一部にメモリーカードスロット５を備え、カードスロット５の内部にはメモリーカード収容空所６が形成されている。このカードスロット５に対してメモリーカード２０を図１（ａ）に示した方向から装着することにより、（ｂ）に示したようにメモリーカード２０を空所６内に装着完了することができる。
空所６の外壁１１には、確認窓１１ａが開口形成され、確認窓１１ａと対向する空所の内壁１２にはカード未装着である旨の警告表示部１２ａ（ＮＯ　ＣＡＲＤ）が形成されている。即ち、空所６内にメモリーカード２０が装着されていない場合に確認窓１１ａから視認可能な空所の内壁１２に、カード未装着である旨の警告表示部１２ａを設けた点が本発明の一つの特徴である。
また、この確認窓１１ａの形成位置は、空所６内にメモリーカード２０を装着完了した時に、メモリーカード２０の外面に記載したカード容量表示部２１が、確認窓１１ａ内に位置するように設定する。従って、装着部１０にメモリーカード２０を装着完了した時に確認窓１１ａからカード容量表示部２１が視認可能となる。この際、警告表示部１２ａはカードによって隠蔽された状態となる。
メモリーカード２０は、装着部１０に装着完了したときに、確認窓１１ａから視認可能となる位置に、カード容量表示部２１を備えている。
このように本実施形態では、カードスロット５の内部に位置する空所６の内壁１２の一部を露出させる確認窓１１ａを外壁１１に形成し、確認窓１１ａを通して装着されたメモリーカード表面上のカード容量表示部２１を見てその容量を確認したり、メモリーカード未装着時には確認窓１１ａから露出される内壁１２上の警告表示部１２ａを視認して未装着であることを知ることが可能となる。従来は、カード未装着時に確認窓から視認できるのは空所の内壁だけであり、これが装着の有無を誤認させる原因ともなっていたが、本発明ではより積極的な警告表示部を設けてこれを視認できるようにしたので、未装着であることを見落とすことが少なくなる。
【０００７】
次に、図２（ａ）及び（ｂ）は本発明の他の実施形態に係る装着部の構成を示す内部構成図である。即ち、同図はいずれも図１に示した外壁１１を除去して内壁１２及び空所６を露出させた状態を示している。
内壁１２に突設されたコ字条の突条１３は空所６の外枠を構成しており、カードスロット５に近い方の内壁１２上にはカード未装着である旨の警告表示部１２ａ（ＮＯ　ＣＡＲＤ）が記載されている。この警告表示部１２ａの形成位置は、外壁１１に形成した確認窓１１ａと一致しており、図２（ａ）のカード未装着時には確認窓１１ａから警告表示部１２ａを視認可能となっている。
また、図２（ｂ）のカード装着状態においては、カード表面のカード容量表示部２１を確認窓１１ａから視認可能となっており、警告表示部１２ａはカードによって隠蔽された状態となる。
この実施形態においては、メモリーカード２０の装着方向（左方）にカードの装着の有無を検知する検出スイッチ１５が配置されている。即ち、この例では、突条１３の一部を切り欠いた支持孔１３ａ内に検出スイッチ１５を配置しており、図２（ａ）のような未装着時には検出スイッチ１５は未作動状態にあり、（ｂ）のような装着時には検出スイッチ１５は作動状態にあって装着されていることを判別する。検出スイッチ１５がカード未装着を検出している時には電源投入ができないように図示しない電源回路が構成されており、撮影者は確認窓１１ａを通してカード未装着を示す警告表示部１２ａを視認できるので、電源投入していない場合であってもカード未装着を確認できる。また、カードが装着されていれば、警告表示部１２ａが隠蔽され、容量表示部２１が視認できるので、カードが装着されていることと、カードの容量を知ることができる。
このようにメモリーカードが未装着の場合には電源投入を禁止するように構成したので、従来のようにシステムが起動してからメモリーカード未装着の警告が出されたり、いざ撮影しようという段階で警告が出されることにより、初めてカード未装着に気づくことがなくなり、撮影に手間どるという不具合がなくなる。また、カードの装着検出を行うことで、カード未装着時の無駄なシステムの起動を押さえることが可能になる。
【０００８】
次に、図３（ａ）及び（ｂ）は本発明の他の実施形態に係る電子カメラの要部構成を示す図である。図３は、図２と同様に外壁１１を除去した状態の装着部の内部構成を示している。
図３の実施形態が図２の実施形態と異なる点は、空所６内に装着されるメモリーカード２０によって直接検出スイッチ１５を作動させるのではなく、メモリーカード２０の着脱に連動して進退するスライダー３０を介して検出スイッチを作動させるようにしている点である。
また、筐体４の外壁１１には、カード装着の有無と、カード容量を確認するための確認窓１１ａが形成されているが、未装着である旨の警告表示部３１は、内壁１２ではなく、スライダー３０上に形成されている。
即ち、スライダー３０は、復帰バネ３２によって図３（ａ）に示した原位置に復帰するように常時付勢されている一方で、スライダー３０が原位置にあるときに警告表示部３１は外壁１１に設けた確認窓１１ａと合致する位置にある。また、スライダー３０の左端には、検出スイッチ１５と対面する突起３３が形成され、図３（ｂ）に示したカード装着時のみこの突起３３が内壁１２に固定された検出スイッチ１５を作動させるように構成されている。
以上の構成において、図３（ａ）のようにメモリーカード２０が空所６内に未装着状態にある時には復帰バネ３２の作用によってスライダ３０は原位置に復帰しているため、確認窓１１ａとスライダ３０上の警告表示３１とが合致して、警告表示部３１を視認可能な状態となっている。一方、図３（ｂ）のようにメモリーカード２０を空所６内に装着したときには、復帰バネ３２に抗してスライダー３０が左方に押し出されることにより、警告表示部３１は確認窓１１ａから離間して外壁１１により隠蔽された状態となり、且つメモリーカード２０上の容量表示部２１が確認窓１１ａと合致した位置に停止するため外部から視認可能な状態となる。
図３（ｂ）の装着状態において、スライダー３０の突起３３が検出スイッチ１５を作動させた場合にのみカメラ本体の電源が投入されて、撮影可能な状態となる点と、図３（ａ）の未装着状態においては、カメラ本体の電源投入が禁止され、且つ確認窓からカード未装着である旨の警告表示部を視認可能となる点は、図２の実施形態と同様である。
【０００９】
【発明の効果】
以上のように本発明によれば、ディジタルスチルカメラ等の電子カメラのカメラ本体に設けたカード収容空所内にメモリーカードを装着した状態においてメモリーカードの存否と容量を目視確認することができる一方で、カード未装着時には電源未投入の状態で、未装着である旨の警告を表示して目視確認できる。
更に、カード未装着の場合に電源投入を禁止し、電源が完全な未投入の状態でカード未装着を目視確認できる。
即ち、請求項１の発明によれば、メモリーカード装着の有無を確認するための確認窓を通して、メモリーカードに記載された容量表示部を視認できる。
請求項２の発明によれば、メモリーカード装着の有無を確認するための確認窓を通して、メモリーカードに記載された容量表示部を視認可能とするとともに、カード未装着時にはその旨の警告表示部までも目視確認できるようにしたので、より確実に装着状態、未装着状態にあることを確認できる。
請求項３の発明では、メモリーカードを装着部内に着脱する際に連動するスライダーを設け、外壁に設けた一つの確認窓から、スライダー上の警告表示と、カード上の容量表示が選択的に確認できるようにした。また、カード装着時にスライダーの一部が検出スイッチを作動させた時のみカメラ本体の電源が投入可能な状態となるように構成したので、カード未装着に気づかずに電源を投入しようとしても投入されることはない。
請求項４の発明によれば、メモリーカードの装着を検知する検出スイッチによってカードの装着を検知し、カード未装着時には電源投入ができないようにしたので、メモリーカードを使用した電子カメラにおいて、メモリーカード未装着時には電源投入不可となり、記録も再生も実施できない。一方、撮影者には確認窓越しにカード未装着の警告を表示するようになっている。また、カードの装着検出を行うことで、カード未装着時の無駄なシステムの起動を防止できる。
【図面の簡単な説明】
【図１】
本発明の一実施形態に係る電子カメラの斜視図であり、（ａ）はメモリーカード装着前の斜視図、（ｂ）はメモリーカード装着後の斜視図。
【図２】
（ａ）及び（ｂ）は本発明の他の実施形態における装着部の内部構成図。
【図３】
（ａ）及び（ｂ）は本発明の他の実施形態における装着部の内部構成図。
【符号の説明】
１　電子カメラ、２　カメラ本体、３ａ　ＬＣＤ表示部、３ｂ　対物レンズ、３ｃ　シャッタ、４　筐体、５　メモリーカードスロット、６　空所、１０　装着部、１１　外壁、１１ａ　確認窓、１２　内壁、１２ａ　警告表示部、１３　突条、１５　検出スイッチ、２０　メモリーカード、２１　容量表示部、３０　スライダー、３１　警告表示部、３２　復帰バネ。
【図１】
2004112349.tif 000003
【図２】
2004112349.tif 000004
【図３】
2004112349.tif 000005